(57)【要約】【課題】  タッチパネルのハンドジェスチャー検出方法の提供。【解決手段】  物品のタッチパネルとの接触、タッチパネルからの乖離、或いはタッチパネル上での移動等の操作により、各種の異なるハンドジェスチャーを検出する。【選択図】        図８
2007052654.tif 000002
【特許請求の範囲】
【請求項１】
タッチパネルのハンドジェスチャー検出方法において、
物品のタッチパネルとの接触を確認するステップと、
該物品のタッチパネル上での移動の有無を判断するステップと、
該物品のタッチパネル上での移動がなければ、該物品のタッチパネルからの乖離を確認するステップと、
ジェスチャー信号を初期化するステップと、
該物品の該タッチパネルからの乖離時間を計算するステップと、
該乖離時間が参考時間より大きければ、該ジェスチャー信号を終了するステップと、
を包含したことを特徴とする、タッチパネルのハンドジェスチャー検出方法。
【請求項２】
請求項１記載のタッチパネルのハンドジェスチャー検出方法において、物品のタッチパネルとの接触を確認するステップが、
該タッチパネルの感応量を検出するステップと、
該感応量がスレショルド値より大きい時、該感応量の変化量を計算するステップと、
を包含し、そのうち、感応量が第１参考時間内に増加の傾向を維持すれば、該物品のタッチパネルとの接触を表示することを特徴とする、タッチパネルのハンドジェスチャー検出方法。
【請求項３】
請求項１記載のタッチパネルのハンドジェスチャー検出方法において、物品のタッチパネル上での移動の有無を判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対方向の第２方向上の感応量が減少の傾向を維持する時、該物品のタッチパネル上での移動があることを表示することを特徴とする、タッチパネルのハンドジェスチャー検出方法。
【請求項４】
請求項１記載のタッチパネルのハンドジェスチャー検出方法において、物品のタッチパネルからの乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法。
【請求項５】
請求項１記載のタッチパネルのハンドジェスチャー検出方法において、ジェスチャー信号がキー信号を包含することを特徴とする、タッチパネルのハンドジェスチャー検出方法。
【請求項６】
請求項１記載のタッチパネルのハンドジェスチャー検出方法において、ジェスチャー信号が電圧準位信号を包含することを特徴とする、タッチパネルのハンドジェスチャー検出方法。
【請求項７】
タッチパネルのハンドジェスチャー検出方法において、
物品のタッチパネルとの第１次接触を確認するステップと、
該物品の該タッチパネル上での移動の有無を判断するステップと、
該物品のタッチパネル上での移動がなければ、該物品のタッチパネルからの第１次乖離を確認するステップと、
ジェスチャー信号を初期化するステップと、
該物品の該タッチパネルからの第１次乖離時間を計算するステップと、
該第１次乖離時間が参考時間より小さければ、該物品のタッチパネルとの第２次接触を確認するステップと、
該物品の該タッチパネル上での移動の有無を判断するステップと、
該物品の該タッチパネル上での移動があれば、該物品の位置を計算し、位置情報を送出するステップと、
該ジェスチャー信号を維持するステップと、
該物品の該タッチパネルからの第２次乖離を確認し、ジェスチャー信号を終了するステップと、
を包含したことを特徴とする、タッチパネルのハンドジェスチャー検出方法。
【請求項８】
請求項７記載のタッチパネルのハンドジェスチャー検出方法において、物品のタッチパネルとの第１次及び第２次接触を確認するステップが、
感応量を測定するステップ、
該感応量がスレショルド値より大きい時、該感応量の変化量を計算するステップ、
を包含し、感応量が第１参考時間内で増加の傾向を維持すれば、該物品のタッチパネルとの接触を表示することを特徴とする、タッチパネルのハンドジェスチャー検出方法。
【請求項９】
請求項７記載のタッチパネルのハンドジェスチャー検出方法において、物品のタッチパネル上での移動の有無を第１次及び第２次判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対方向の第２方向上の感応量が減少の傾向を維持する時、該物品のタッチパネル上での移動があることを表示することを特徴とする、タッチパネルのハンドジェスチャー検出方法。
【請求項１０】
請求項７記載のタッチパネルのハンドジェスチャー検出方法において、物品のタッチパネルからの第１次乖離及び第２次乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法。
【請求項１１】
請求項７記載のタッチパネルのハンドジェスチャー検出方法において、ジェスチャー信号がキー押圧と位置情報で組成された信号を包含することを特徴とする、タッチパネルのハンドジェスチャー検出方法。
【請求項１２】
請求項７記載のタッチパネルのハンドジェスチャー検出方法において、位置情報が絶対座標或いは相対座標を包含することを特徴とする、タッチパネルのハンドジェスチャー検出方法。
【請求項１３】
請求項７記載のタッチパネルのハンドジェスチャー検出方法において、位置情報が物品の相対移動量を包含することを特徴とする、タッチパネルのハンドジェスチャー検出方法。
【請求項１４】
タッチパネルのハンドジェスチャー検出方法において、
物品のタッチパネルとの第１次接触を確認するステップと、
該物品のタッチパネル上での移動の有無を判断するステップと、
該物品のタッチパネル上での移動が無ければ、該物品のタッチパネルからの第１次乖離を確認するステップと、
第１ジェスチャー信号を初期化するステップと、
該物品の該タッチパネルからの第１次乖離時間を計算するステップと、
該乖離時間が参考時間より小さければ、該物品の該タッチパネルとの第２次接触を確認するステップと、
該物品のタッチパネル上での移動の有無を判断するステップと、
該物品のタッチパネル上での移動がなければ、該物品の該タッチパネルからの第２次乖離を確認するステップと、
第１ジェスチャー信号を終了するステップと、
第２ジェスチャー信号を送出するステップと、
を包含することを特徴とする、タッチパネルのハンドジェスチャー検出方法。
【請求項１５】
請求項１４記載のタッチパネルのハンドジェスチャー検出方法において、物品のタッチパネルとの第１次及び第２次接触を確認するステップが、
該タッチパネルの感応量を測定するステップ、
該感応量がスレショルド値より大きい時、該感応量の変化量を計算するステップ、
を包含し、感応量が第１参考時間内で増加の傾向を維持すれば、該物品のタッチパネルとの接触を表示することを特徴とする、タッチパネルのハンドジェスチャー検出方法。
【請求項１６】
請求項１４記載のタッチパネルのハンドジェスチャー検出方法において、物品のタッチパネル上での移動の有無を判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対の第２方向上の該感応量が減少の傾向を維持すれば、物品の該タッチパネル上での移動があることを示すことを特徴とする、タッチパネルのハンドジェスチャー検出方法。
【請求項１７】
請求項１４記載のタッチパネルのハンドジェスチャー検出方法において、物品のタッチパネルからの第１次及び第２次乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法。
【請求項１８】
請求項１４記載のタッチパネルのハンドジェスチャー検出方法において、第１ジェスチャー信号がキー信号を包含することを特徴とする、タッチパネルのハンドジェスチャー検出方法。
【請求項１９】
請求項１４記載のタッチパネルのハンドジェスチャー検出方法において、第２ジェスチャー信号がキー信号を包含することを特徴とする、タッチパネルのハンドジェスチャー検出方法。
【請求項２０】
請求項１９記載のタッチパネルのハンドジェスチャー検出方法において、キー信号がキー押圧とキー開放の組成信号を包含することを特徴とする、タッチパネルのハンドジェスチャー検出方法。
【請求項２１】
請求項１４記載のタッチパネルのハンドジェスチャー検出方法において、第１ジェスチャー信号が電圧準位信号を包含することを特徴とする、タッチパネルのハンドジェスチャー検出方法。
【請求項２２】
請求項１４記載のタッチパネルのハンドジェスチャー検出方法において、第２ジェスチャー信号が電圧準位信号を包含することを特徴とする、タッチパネルのハンドジェスチャー検出方法。
【発明の詳細な説明】
【技術分野】
【０００１】
本発明は一種のタッチパネルの検出方法に係り、特に、タッチパネルのハンドジェスチャー検出方法に関する。
【背景技術】
【０００２】
タッチパネルは手指を平滑なパネル上でスライドさせてカーソル移動を制御する入力装置である。タッチパネルの厚さは非常に薄く、ゆえに、超薄型のノートブック型コンピュータ、キーボード、デジタルプレイヤー或いはその他の装置中に設計可能であり、且つそれは機械式の設計でないため、メインテナンスが非常に簡便である。
【０００３】
図１は周知の二次元タッチパネル１００を示し、それは、パネル１０２、Ｙ軸感応層１０４、絶縁層１０６、Ｘ軸感応層１０８及び底板１１０を包含する。手指１１２をパネル１０２に接触させる時、その接触位置の感応量（静電容量或いは電気抵抗量）が改変し、タッチパネル１００に接続された制御回路がタッチパネル上の静電容量或いは電気抵抗量を感応量に変換し、図２に示されるように、手指の位置、移動量及び移動の方向を判断する。周知の技術にあっては、物品のタッチパネル１００との接触の確認には二種類の方法があり、第１種の方法は、感応量の大きさを判断の根拠となし、図３に示されるように、感応量がスレショルド値ｔｈより大きい時は、物品がタッチパネル１００に接触したことを示し、反対に感応量がスレショルド値ｔｈより小さい時は、物品がタッチパネル１００から離れるか或いはタッチパネル１００上に物品の存在がないことを示す。第２種の方法は、検出した感応量の積量を判断の根拠となし、図４に示されるように、感応量の積量がスレショルド値ｔｈより大きい時は、物品のタッチパネル１００との接触を示し、反対に、感応量の積量がスレショルド値ｔｈより小さい時は、物品がタッチパネル１００より乖離したかタッチパネル１００上に物品の存在がないことを示す。上述の二種類の方法は、外界雑音の干渉を受け易く、エラーの判断をもたらす。このほか、物品がタッチパネル１００上でタップジェスチャー、ドラッグ、ダブルタップ、或いはその他のハンドジェスチャー操作される時、いずれも物品のタッチパネル１００の接触、乖離或いは移動等の操作の時間を判断の根拠となし、初めてタッチパネル１００を使用するか或いはタッチパネル１００操作に慣れていない使用者は、往々にして動作が不明確であることから、タッチパネル１００が使用者の動作を認識できなくなり、操作上の不便を形成することがある。
【０００４】
このため雑音干渉を防止し且つ操作に便利な検出方法が望まれている。
【発明の開示】
【発明が解決しようとする課題】
【０００５】
本発明の目的は、一種のタッチパネルのハンドジェスチャー検出方法を提供することにあり、それは雑音の干渉を防止できる方法であるものとする。
【０００６】
本発明によると、タッチパネルのハンドジェスチャー検出方法は、物品のタッチパネルとの接触、タッチパネルからの乖離或いはタッチパネル上での移動等の操作により、各種の異なるハンドジェスチャーを検出する。
【課題を解決するための手段】
【０００７】
請求項１の発明は、タッチパネルのハンドジェスチャー検出方法において、
物品のタッチパネルとの接触を確認するステップと、
該物品のタッチパネル上での移動の有無を判断するステップと、
該物品のタッチパネル上での移動がなければ、該物品のタッチパネルからの乖離を確認するステップと、
ジェスチャー信号を初期化するステップと、
該物品の該タッチパネルからの乖離時間を計算するステップと、
該乖離時間が参考時間より大きければ、該ジェスチャー信号を終了するステップと、
を包含したことを特徴とする、タッチパネルのハンドジェスチャー検出方法としている。
請求項２の発明は、請求項１記載のタッチパネルのハンドジェスチャー検出方法において、物品のタッチパネルとの接触を確認するステップが、
該タッチパネルの感応量を検出するステップと、
該感応量がスレショルド値より大きい時、該感応量の変化量を計算するステップと、
を包含し、そのうち、感応量が第１参考時間内に増加の傾向を維持すれば、該物品のタッチパネルとの接触を表示することを特徴とする、タッチパネルのハンドジェスチャー検出方法としている。
請求項３の発明は、請求項１記載のタッチパネルのハンドジェスチャー検出方法において、物品のタッチパネル上での移動の有無を判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対方向の第２方向上の感応量が減少の傾向を維持する時、該物品のタッチパネル上での移動があることを表示することを特徴とする、タッチパネルのハンドジェスチャー検出方法としている。
請求項４の発明は、請求項１記載のタッチパネルのハンドジェスチャー検出方法において、物品のタッチパネルからの乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法としている。
請求項５の発明は、請求項１記載のタッチパネルのハンドジェスチャー検出方法において、ジェスチャー信号がキー信号を包含することを特徴とする、タッチパネルのハンドジェスチャー検出方法としている。
請求項６の発明は、請求項１記載のタッチパネルのハンドジェスチャー検出方法において、ジェスチャー信号が電圧準位信号を包含することを特徴とする、タッチパネルのハンドジェスチャー検出方法としている。
請求項７の発明は、タッチパネルのハンドジェスチャー検出方法において、
物品のタッチパネルとの第１次接触を確認するステップと、
該物品の該タッチパネル上での移動の有無を判断するステップと、
該物品のタッチパネル上での移動がなければ、該物品のタッチパネルからの第１次乖離を確認するステップと、
ジェスチャー信号を初期化するステップと、
該物品の該タッチパネルからの第１次乖離時間を計算するステップと、
該第１次乖離時間が参考時間より小さければ、該物品のタッチパネルとの第２次接触を確認するステップと、
該物品の該タッチパネル上での移動の有無を判断するステップと、
該物品の該タッチパネル上での移動があれば、該物品の位置を計算し、位置情報を送出するステップと、
該ジェスチャー信号を維持するステップと、
該物品の該タッチパネルからの第２次乖離を確認し、ジェスチャー信号を終了するステップと、
を包含したことを特徴とする、タッチパネルのハンドジェスチャー検出方法としている。
請求項８の発明は、請求項７記載のタッチパネルのハンドジェスチャー検出方法において、物品のタッチパネルとの第１次及び第２次接触を確認するステップが、
感応量を測定するステップ、
該感応量がスレショルド値より大きい時、該感応量の変化量を計算するステップ、
を包含し、感応量が第１参考時間内で増加の傾向を維持すれば、該物品のタッチパネルとの接触を表示することを特徴とする、タッチパネルのハンドジェスチャー検出方法としている。
請求項９の発明は、請求項７記載のタッチパネルのハンドジェスチャー検出方法において、物品のタッチパネル上での移動の有無を第１次及び第２次判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対方向の第２方向上の感応量が減少の傾向を維持する時、該物品のタッチパネル上での移動があることを表示することを特徴とする、タッチパネルのハンドジェスチャー検出方法としている。
請求項１０の発明は、請求項７記載のタッチパネルのハンドジェスチャー検出方法において、物品のタッチパネルからの第１次乖離及び第２次乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法としている。
請求項１１の発明は、請求項７記載のタッチパネルのハンドジェスチャー検出方法において、ジェスチャー信号がキー押圧と位置情報で組成された信号を包含することを特徴とする、タッチパネルのハンドジェスチャー検出方法としている。
請求項１２の発明は、請求項７記載のタッチパネルのハンドジェスチャー検出方法において、位置情報が絶対座標或いは相対座標を包含することを特徴とする、タッチパネルのハンドジェスチャー検出方法としている。
請求項１３の発明は、請求項７記載のタッチパネルのハンドジェスチャー検出方法において、位置情報が物品の相対移動量を包含することを特徴とする、タッチパネルのハンドジェスチャー検出方法としている。
請求項１４の発明は、タッチパネルのハンドジェスチャー検出方法において、
物品のタッチパネルとの第１次接触を確認するステップと、
該物品のタッチパネル上での移動の有無を判断するステップと、
該物品のタッチパネル上での移動が無ければ、該物品のタッチパネルからの第１次乖離を確認するステップと、
第１ジェスチャー信号を初期化するステップと、
該物品の該タッチパネルからの第１次乖離時間を計算するステップと、
該乖離時間が参考時間より小さければ、該物品の該タッチパネルとの第２次接触を確認するステップと、
該物品のタッチパネル上での移動の有無を判断するステップと、
該物品のタッチパネル上での移動がなければ、該物品の該タッチパネルからの第２次乖離を確認するステップと、
第１ジェスチャー信号を終了するステップと、
第２ジェスチャー信号を送出するステップと、
を包含することを特徴とする、タッチパネルのハンドジェスチャー検出方法としている。
請求項１５の発明は、請求項１４記載のタッチパネルのハンドジェスチャー検出方法において、物品のタッチパネルとの第１次及び第２次接触を確認するステップが、
該タッチパネルの感応量を測定するステップ、
該感応量がスレショルド値より大きい時、該感応量の変化量を計算するステップ、
を包含し、感応量が第１参考時間内で増加の傾向を維持すれば、該物品のタッチパネルとの接触を表示することを特徴とする、タッチパネルのハンドジェスチャー検出方法としている。
請求項１６の発明は、請求項１４記載のタッチパネルのハンドジェスチャー検出方法において、物品のタッチパネル上での移動の有無を判断するステップが、
該タッチパネルの感応量を検出するステップと、
該感応量の変化量を計算するステップと、
を包含し、そのうち、第１参考時間内に該物品の第１方向上の該感応量が増加の傾向を維持し、該第１方向と反対の第２方向上の該感応量が減少の傾向を維持すれば、物品の該タッチパネル上での移動があることを示すことを特徴とする、タッチパネルのハンドジェスチャー検出方法としている。
請求項１７の発明は、請求項１４記載のタッチパネルのハンドジェスチャー検出方法において、物品のタッチパネルからの第１次及び第２次乖離を確認するステップが、
該タッチパネルの感応量を検出するステップと、
該感応量がスレショルド値より小さい時、該感応量の変化量を計算するステップと、
を包含し、そのうち、該感応量が第１参考時間内に減少の傾向を維持すれば、物品が該タッチパネルより乖離したことを示すことを特徴とする、タッチパネルのハンドジェスチャー検出方法としている。
請求項１８の発明は、請求項１４記載のタッチパネルのハンドジェスチャー検出方法において、第１ジェスチャー信号がキー信号を包含することを特徴とする、タッチパネルのハンドジェスチャー検出方法としている。
請求項１９の発明は、請求項１４記載のタッチパネルのハンドジェスチャー検出方法において、第２ジェスチャー信号がキー信号を包含することを特徴とする、タッチパネルのハンドジェスチャー検出方法としている。
請求項２０の発明は、請求項１９記載のタッチパネルのハンドジェスチャー検出方法において、キー信号がキー押圧とキー開放の組成信号を包含することを特徴とする、タッチパネルのハンドジェスチャー検出方法としている。
請求項２１の発明は、請求項１４記載のタッチパネルのハンドジェスチャー検出方法において、第１ジェスチャー信号が電圧準位信号を包含することを特徴とする、タッチパネルのハンドジェスチャー検出方法としている。
請求項２２の発明は、請求項１４記載のタッチパネルのハンドジェスチャー検出方法において、第２ジェスチャー信号が電圧準位信号を包含することを特徴とする、タッチパネルのハンドジェスチャー検出方法としている。
【発明の効果】
【０００８】
本発明によると、感応量の変化及び物品のタッチパネル上での移動の有無の判断により、各種のタッチパネル上のジェスチャー操作を確認し、雑音干渉による誤判断を防止し、更に操作上の動作の不明確によるタッチパネルによる認識不能の欠点を改善し、使用上の便利性を増す。
【発明を実施するための最良の形態】
【０００９】
本発明の検出方法はハードウエア検出回路の改良に依る必要がなく、雑音に対する抵抗能力を高めることができ、並びに多種類のハンドジェスチャーを区別できる。
【００１０】
物品の接触を確認する検出方法
図５は感応量がスレショルド値ｔｈより大きい時に検出される感応量変化を示し、そのうち、符号２００の曲線は今回検出された感応量曲線であり、符号２０２の曲線は前回検出された感応量曲線である。図６は図５の２回の感応量の差の値を示す。図７は検出信号２０４を示す。図５、６及び図７に示されるように、タッチパネル上の感応量を測定する時、図５に示されるように、検出される感応量がスレショルド値ｔｈより大きい時、検出信号２０４は図７に示されるように、低準位から高準位に変化する。続いて時間ＴDownDetect内にあって、続いて該タッチパネル上の感応量を検出し、並びに感応量を検出する毎に検出した感応量２００より前回の感応量２０２を減算し、図６に示されるように、感応量の差の値ｄＶを得る。時間ＴDownDetect内にあって得られた感応量の差の値ｄＶがいずれも正の値である時、物品がタッチパネルに接触していることが示される。
【００１１】
物品乖離を確認する検出方法
図８は感応量がスレショルド値ｔｈより小さい時に検出される感応量変化を示し、そのうち符号２１０の曲線は今回検出された感応量であり、符号２１２の曲線は前回検出された感応量である。図９は図８中の二回の感応量の差の値であり、図１０は検出信号２１４を示す。図８、９、及び図１０に示されるように、物品がタッチパネルに接触した後、図８に示されるように、一旦感応量がスレショルド値ｔｈより小さくなったことが検出されると、図１０に示されるように、検出信号２１４は高準位から低準位に変化し、続いて時間ＴLiftDetect内にあって、続けて感応量が検出され、並びに毎回検出される感応量２１０より前回の感応量２１２が減算されて、図９に示されるように感応量差値ｄＶが得られ、時間ＴLiftDetect内にあって、得られた感応量差値ｄＶがいずれも負の値であれば、この物品がタッチパネルより離れたことを示す。
【００１２】
物品の移動を確認する検出方法
物品の移動は確認される必要があり、そうでなければ雑音或いは物品に軽微な振動がある時に、物品位置の誤断を形成してカーソルにエラー動作を発生させうる。図１１は物品が左に移動した時の感応量変化を示し、そのうち、符号２２０の曲線は今回検出された感応量を示し、符号２２２の曲線は前回検出された感応量を示す。図１２は図１１の二回の感応量の差の値を示す。図１１及び図１２に示されるように、物品のタッチパネルに対する接触が確認された後、タッチパネル上の感応量を検出し並びに毎回検出される感応量２００と前回検出される感応量の差の値ｄＶを計算し、物品の左方向の感応量の差の値ｄＶが設定時間ＴMovingdetect内で増加の傾向を維持すれば、右方向の感応量の差の値ｄＶは減少の傾向を維持し、図１１及び図１２に示されるように、物品が静置状態から左方向に移動開始したことを示し、反対に、物品の左方向の感応量の差の値ｄＶが設定時間ＴMovingdetect内で減少の傾向を維持し、右方向の感応量の差の値ｄＶが増加の傾向を維持する時、物品が右方向に移動開始したことを示す。
【００１３】
タップジェスチャーの検出方法
図１３は検出信号３１０及び出力信号３２０を表示する。出力信号３２０はジェスチャー信号３２２を包含する。物品のタッチパネルとの接触を検出した時、検出信号３１０は低準位から高準位に変化し、図１３に示されるようであり、「物品の接触を確認する検出方法」に符合することが確定した後、「物品の移動を検出する確認方法」に基づき、該物品のタッチパネル上での移動の有無を判断し、物品がタッチパネル上で移動していれば、移動ジェスチャーと判定し、物品がタッチパネル上で移動していなければ、該物品のタッチパネルからの乖離を検出し、検出信号３１０が高準位から低準位に変わり、「物品の乖離を確認する検出方法」に符合することが確定すると、ジェスチャー信号３２２を初期化し、該物品の該タッチパネルからの乖離時間を計算し、乖離時間が参考時間ＴTap より大きければ、ジェスチャー信号３２２を終了する。そのうち、ジェスチャー信号３２２はキー信号７を包含し、「物品の乖離を確認する検出方法」に符合することが確定しジェスチャー信号３２２を送出する時、ボタン押圧状態とされ、乖離時間が参考時間ＴTap より大きくジェスチャー信号３２２を終了した後は、キー開放状態とされる。異なる実施例では、ジェスチャー信号３２２は電圧準位信号とされ、「物品の乖離を確認する検出方法」に符合すると確定した時、電圧準位は初期準位から別の準位に変わり（例えば低準位から高準位に変わる）、乖離時間が参考時間ＴTap より大きくなった後、電圧準位は初期準位に回復する。
【００１４】
ドラッグジェスチャーの検出方法
図１４は検出信号３３０と出力信号３４０を示す。出力信号３４０はジェスチャー信号３４２を包含する。物品のタッチパネルとの第一次接触を検出した時、検出信号３３０は図１４に示されるように低準位から高準位に変わり、「物品の接触を確認する検出方法」に符合することが確定した後、「物品の移動を確認する検出方法」に基づき、物品のタッチパネル上での移動の有無が判断され、物品のタッチパネル上での移動があれば、移動ジェスチャーであると判定し、即ち物品のタッチパネルからの第１次乖離を検出し、検出信号３３０が高準位から低準位に変わり、「物品の乖離を確認する検出方法」に符合すると確定した時、ジェスチャー信号３４２が初期化され、該物品の該タッチパネルからの乖離時間が計算され、もし乖離時間が参考時間ＴDragより小さければ、該物品の該タッチパネルとの第２次接触を検出し、検出信号３３０が再度低準位から高準位に変わり、「物品の接触を確認する検出方法」に符合すると確定した後、「物品の移動を確認する検出方法」に基づき、該物品の該タッチパネル上での移動の有無を判断し、該物品の該タッチパネル上での移動があれば、該物品の位置情報を計算し、同時にジェスチャー信号３４２を維持し、該物品のタッチパネルからの第２次乖離を検出すると、検出信号３３０が高準位から低準位に変わり、且つ「物品の乖離を確認する検出方法」に符合すると確定した時、ジェスチャー信号３４４を終了する。そのうち、ジェスチャー信号３４２はキー押圧と位置情報の組合せ信号とされ、「物品の乖離を確認する検出方法」に符合すると第１次確定してジェスチャー信号３４２を送出する時、該物品は該タッチパネル上で未移動であることにより、位置情報は改変せず、ジェスチャー信号３４２がキー押圧且つ物品移動量が零に等しい状態とされ、物品がタッチパネル上で移動し、且つジェスチャー信号３４２を維持する時、該物品はタッチパネル上で移動することにより、位置情報に改変が発生し、ジェスチャー信号３４２はキー押圧且つ物品移動の状態とされる。典型的には、該位置情報は絶対座標とされうるほか、相対座標或いは該物品の相対移動量とされ得る。そのうち、絶対座標は固定位置（例えばタッチパネルの中心点或いは一つの角）を固定原点として生成される座標値であり、相対座標は相対位置（例えば該物品が最初に該タッチパネルに接触する位置）を参考原点として生成される座標値であり、相対移動量は該参考原点に対する移動量である。
【００１５】
物品のダブルタップ（Ｄｏｕｂｌｅ  Ｔａｐ）の検出方法
図１５は検出信号３５０と出力信号３６０を表示し、出力信号３６０はジェスチャー信号３６２、３６４を包含する。物品のタッチパネルとの第１次接触を検出した時、検出信号３５０は低準位から高準位に変わり、図１５に示されるようであり、「物品の接触を確認する検出方法」に符合すると確定した後、「物品の移動を確認する検出方法」に基づき、該物品のタッチパネル上での移動の有無を判断し、物品の移動があれば、移動ジェスチャーであると判定し、移動がなければ移動ジェスチャーと判定せず、即ち該物品の該タッチパネルからの第１次乖離を検出し、検出信号３５０が高準位から低準位に変わり、物品の該タッチパネルからの乖離時間を計算し、「物品の乖離を確認する検出方法」に符合すると確定した時、ジェスチャー信号３６２を初期化し、もし乖離時間が参考時間ＴDoubleTap より小さければ、タッチパネルとの第２次接触が検出され、検出信号３５０が再度低準位から高準位に変わり、「物品の接触を確認する検出方法」に符合すると確定した後、「物品の移動を確認する検出方法」に基づき該物品の該タッチパネル上での移動の有無が判断され、該物品の該タッチパネル上での移動がなければ、即ち該物品のタッチパネルからの第２次乖離が検出され、検出信号３５０が高準位から低準位に変わり、且つ「物品の乖離を確認する検出方法」に符合すると確定した後に、ジェスチャー信号３６２を終了し、続いてジェスチャー信号３６４を送出する。そのうち、ジェスチャー信号３６２はキー信号を包含し、「物品の乖離を確認する検出方法」に符合すると第１次確定してジェスチャー信号３６２を送出する時、キー押圧状態とされ、「物品の乖離を確認する検出方法」に符合すると第２次確定し、ジェスチャー信号３６２を終了した後はキー開放状態とされ、ジェスチャー信号３６４はキー押圧とキー開放で組成されたキー信号を包含する。異なる実施例ではジェスチャー信号３６２と３６４は電圧準位信号とされ、「物品の乖離を確認する検出方法」に符合すると第１次確定した時、電圧準位は初期準位から別の準位に変わり（例えば低準位から高準位に変わる）、「物品の乖離を確認する検出方法」に符合すると第２次確定した時、電圧準位は初期準位に回復し、続いて電圧ジェスチャー信号が再度初期準位から別の準位に変わり（例えば低準位から高準位に変わる）、ある時間の経過の後、電圧準位は初期準位に再度回復する。
【００１６】
上述の各実施例にあって、感応量の変化及び物品のタッチパネル上での移動の有無の判断により、各種のタッチパネル上のジェスチャー操作を確認し、雑音干渉による誤判断を防止し、更に操作上の動作の不明確によるタッチパネルによる認識不能の欠点を改善し、使用上の便利性を増す。
【図面の簡単な説明】
【００１７】
【図１】周知の二次元タッチパネルの表示図である。
【図２】図１のタッチパネル上の感応量と位置の関係図である。
【図３】感応量の変化の表示図である。
【図４】感応量の積量の変化の表示図である。
【図５】本発明の感応量がスレショルド値ｔｈより大きい時に検出される感応量変化の表示図である。
【図６】図５中の二回の感応量の差の値を示す図である。
【図７】本発明の検出信号を表示する図である。
【図８】本発明の感応量がスレショルド値ｔｈより小さい時に検出される感応量変化の表示図である。
【図９】図８中の二回の感応量の差の値を示す図である。
【図１０】本発明の検出信号を示す図である。
【図１１】本発明の物品が静止状態から左方向に移動する時の感応量の変化の表示図である。
【図１２】図１１中の二回の感応量の差の値を示す図である。
【図１３】本発明の検出信号と出力信号の表示図である。
【図１４】本発明の検出信号と出力信号の表示図である。
【図１５】本発明の検出信号と出力信号の表示図である。
【符号の説明】
【００１８】
１００  タッチパネル
１０２  パネル
１０４  Ｙ軸感応層
１０６  絶縁層
１０８  Ｘ軸感応層
１１０  底板
１１２  手指
２００  今回検出された感応量
２０２  前回検出された感応量
２０４  検出信号
２１０  今回検出された感応量
２１２  曲線前回検出された感応量
２１４  検出信号
２２０  今回検出された感応量
２２２  前回検出された感応量
３１０  検出信号
３２０  出力信号
３２２  ジェスチャー信号
３３０  検出信号
３４０  出力信号
３４２  ジェスチャー信号
３５０  検出信号
３６０  出力信号
３６２  ジェスチャー信号
３６４  ジェスチャー信号
【図１】
2007052654.tif 000003
【図２】
2007052654.tif 000004
【図３】
2007052654.tif 000005
【図４】
2007052654.tif 000006
【図５】
2007052654.tif 000007
【図６】
2007052654.tif 000008
【図７】
2007052654.tif 000009
【図８】
2007052654.tif 000010
【図９】
2007052654.tif 000011
【図１０】
2007052654.tif 000012
【図１１】
2007052654.tif 000013
【図１２】
2007052654.tif 000014
【図１３】
2007052654.tif 000015
【図１４】
2007052654.tif 000016
【図１５】
2007052654.tif 000017